(57)【要約】【課題】フィルタよりも冷却風上流側かつ下側にあるダストがフィルタに向かって巻き上がることを抑制する。【解決手段】ダスト捕集装置１０は、冷却風を発生させるファン４２と、ファン４２が発生させた冷却風中のダストＤを捕集するフィルタ４４と、巻上抑制部５０と、を備える。巻上抑制部５０は、フィルタ４４よりも上流側Ｘ１かつ下側Ｚ２に配置される。巻上抑制部５０は、互いに間隔をあけて配置される複数の部材６０を備える。それぞれの部材６０は、フィルタ４４を向いたフィルタ対向面６１ａを備える。フィルタ４４から見たときに、複数の部材６０どうしが重なる。【選択図】図２
2018193835.tif 000002
【特許請求の範囲】
【請求項１】
冷却風を発生させるファンと、
前記ファンが発生させた冷却風中のダストを捕集するフィルタと、
前記フィルタよりも冷却風上流側かつ下側に配置される巻上抑制部と、
を備え、
前記巻上抑制部は、互いに間隔をあけて配置される複数の部材を備え、
それぞれの前記部材は、前記フィルタを向いたフィルタ対向面を備え、
前記フィルタから見たときに、複数の前記部材どうしが重なる、
建設機械のダスト捕集装置。
【請求項２】
請求項１に記載の建設機械のダスト捕集装置であって、
前記フィルタのうち前記ファンの回転軸と同じ高さの部分から見たときに、複数の前記部材どうしが重なる、
建設機械のダスト捕集装置。
【請求項３】
請求項２に記載の建設機械のダスト捕集装置であって、
前記フィルタの上端部から見たときに、複数の前記部材どうしが重なる、
建設機械のダスト捕集装置。
【請求項４】
請求項３に記載の建設機械のダスト捕集装置であって、
前記部材の真上から見たときに、複数の前記部材どうしが重なる、
建設機械のダスト捕集装置。
【請求項５】
請求項１〜４のいずれか１項に記載の建設機械のダスト捕集装置であって、
前記部材は、前記フィルタ対向面を有する板状部材を備える、
建設機械のダスト捕集装置。
【請求項６】
請求項５に記載の建設機械のダスト捕集装置であって、
前記部材は、補強部材を備え、
前記補強部材は、前記板状部材の前記フィルタ対向面とは反対側の面に固定される、
建設機械のダスト捕集装置。
【請求項７】
請求項１〜６のいずれか１項に記載の建設機械のダスト捕集装置であって、
複数の前記部材は、上下方向に複数段を構成するように配置される、
建設機械のダスト捕集装置。
【請求項８】
請求項７に記載の建設機械のダスト捕集装置であって、
上段の前記部材は、下段の前記部材に対し、冷却風上下流方向にずれた位置に配置される、
建設機械のダスト捕集装置。
【請求項９】
請求項１〜８のいずれか１項に記載の建設機械のダスト捕集装置であって、
前記ファンおよび前記フィルタが搭載されるフレーム底板を備え、
前記巻上抑制部は、前記フレーム底板に形成された貫通孔の内側に配置される、
建設機械のダスト捕集装置。
【発明の詳細な説明】
【技術分野】
【０００１】
本発明は、冷却風中のダストを捕集する、建設機械のダスト捕集装置に関する。
【背景技術】
【０００２】
例えば特許文献１などに従来の建設機械が記載されている。同文献の図３などに記載の技術は、冷却風中のダストを捕集するフィルタを備える。
【先行技術文献】
【特許文献】
【０００３】
【特許文献１】特開２０１３−８３１０６号公報
【発明の概要】
【発明が解決しようとする課題】
【０００４】
同文献の記載の技術では、フィルタよりも冷却風の上流側かつ下側にあるダストが、冷却風により巻き上げられるおそれがある。その結果、フィルタに向かって巻き上げられたダストが、フィルタに捕集されるおそれがある。
【０００５】
そこで本発明は、フィルタよりも冷却風上流側かつ下側にあるダストがフィルタに向かって巻き上がることを抑制できる、建設機械のダスト捕集装置を提供することを目的とする。
【課題を解決するための手段】
【０００６】
本発明の建設機械のダスト捕集装置は、冷却風を発生させるファンと、前記ファンが発生させた冷却風中のダストを捕集するフィルタと、巻上抑制部と、を備える。前記巻上抑制部は、前記フィルタよりも冷却風上流側かつ下側に配置される。前記巻上抑制部は、互いに間隔をあけて配置される複数の部材を備える。それぞれの前記部材は、前記フィルタを向いたフィルタ対向面を備える。前記フィルタから見たときに、複数の前記部材どうしが重なる。
【発明の効果】
【０００７】
上記構成により、フィルタよりも冷却風上流側かつ下側にあるダストがフィルタに向かって巻き上がることを抑制できる。
【図面の簡単な説明】
【０００８】
【図１】建設機械を後側から見た図である。
【図２】図１に示す建設機械のダスト捕集装置を示す断面図である。
【図３】図２に示すダスト捕集装置の一部を示す断面図である。
【図４】第２実施形態のダスト捕集装置を示す断面図である。
【図５】第３実施形態のダスト捕集装置の一部を示す断面図である。
【図６】第４実施形態のダスト捕集装置の一部を示す断面図である。
【図７】第５実施形態のダスト捕集装置の一部を示す断面図である。
【発明を実施するための形態】
【０００９】
（第１実施形態）
図１〜図３を参照して、第１実施形態の建設機械１のダスト捕集装置１０について説明する。
【００１０】
建設機械１は、建設作業などの作業を行う機械であり、例えばショベルなどである。建設機械１は、図１に示すように、下部走行体５と、旋回ベアリング６と、上部旋回体７と、を備える。
【００１１】
下部走行体５は、建設機械１を走行させる部分であり、クローラ５ａを備える。クローラ５ａは、下部走行体５における左右方向に間隔をあけて２つ設けられる。２つのクローラ５ａそれぞれは、下部走行体５における前後方向に延びる。
【００１２】
上部旋回体７は、旋回ベアリング６を介して、下部走行体５に対して旋回可能に取り付けられる。下部走行体５に対する上部旋回体７の回転軸の方向を、上下方向Ｚとする。上下方向Ｚにおいて、下部走行体５から上部旋回体７に向かう側を上側Ｚ１とし、その逆側を下側Ｚ２とする。上部旋回体７は、アタッチメント７ａと、キャブ７ｃと、ダスト捕集装置１０と、を備える。アタッチメント７ａは、例えば、ブームと、ブームに回転自在に取り付けられるアーム（図示なし）と、アームに回転自在に取り付けられるバケット（図示なし）と、を備える。
【００１３】
ダスト捕集装置１０は、冷却風Ｃ中のダストＤ（塵、埃、ゴミ）を捕集する装置である。図２に示すように、ダスト捕集装置１０は、フレーム２０と、ガード３０と、機械室４０と、機械室４０内部の機器と、巻上抑制部５０と、を備える。
【００１４】
フレーム２０（旋回フレーム、上部フレーム、アッパフレーム）は、各種機器が搭載される構造物である。フレーム２０には、図１に示すアタッチメント７ａ、旋回ベアリング６、および、キャブ７ｃが取り付けられる。図２に示すように、フレーム２０は、フレーム底板２１を備える。フレーム底板２１には、貫通孔２１ａが形成される。貫通孔２１ａは、機械室４０の外部と内部とを連通する。
【００１５】
ガード３０は、エンジン４１などの機器を覆う。ガード３０は、ガード上側部分３１と、ガード上流側部分３３と、吸気口３３ａと、を備える。ガード上側部分３１は、ガード３０の上側Ｚ１の部分である。ガード上流側部分３３は、ガード３０の上流側Ｘ１（冷却風上流側）の部分である。「上流側Ｘ１」については後述する。吸気口３３ａは、機械室４０の外部と内部とを連通し、機械室４０の外部から内部に冷却風Ｃを取り込むための孔である。吸気口３３ａは、ガード上流側部分３３に形成される。吸気口３３ａの一部または全部は、ガード上側部分３１に形成されてもよい。吸気口３３ａは、例えば複数のスリットなどにより構成される。
【００１６】
機械室４０は、ガード３０およびフレーム底板２１により囲まれた空間である。機械室４０は、吸気室４０ａを備える。吸気室４０ａは、機械室４０のうちフィルタ４４よりも上流側Ｘ１の部分である。機械室４０の内部に、機器が配置される。機械室４０の内部の機器は、フレーム２０に搭載される。機械室４０の内部の機器には、エンジン４１と、ファン４２と、ラジエータ４３と、フィルタ４４と、清掃機構４５と、がある。なお、貫通孔２１ａの内側（貫通孔２１ａの内面に囲まれた領域）は、機械室４０の内部であるとする。
【００１７】
エンジン４１は、建設機械１の駆動源であり、油圧ポンプなどを駆動し、ファン４２を駆動する。
【００１８】
ファン４２は、冷却風Ｃを発生させる。ファン４２が発生させた冷却風Ｃは、ラジエータ４３を冷却する。ファン４２の位置における冷却風Ｃの流れの方向を上下流方向Ｘ（冷却風上下流方向）とする。上下流方向Ｘにおいて、ファン４２の位置における冷却風Ｃの上流側（吸気側）を上流側Ｘ１（冷却風上流側）とし、その逆側（排気側）を下流側Ｘ２（冷却風下流側）とする。ファン４２は、エンジン４１よりも上流側Ｘ１に配置される。ファン４２は、エンジン４１に直結され、エンジン４１に回転駆動させられる。なお、ファン４２の駆動源はエンジン４１でなくてもよい。
【００１９】
ラジエータ４３は、冷却媒体を冷却する熱交換器である。ラジエータ４３が冷却する冷却媒体は、流体であり、例えば水（冷却水）であり、例えばエンジン４１を冷却する。ラジエータ４３は、ファン４２よりも上流側Ｘ１に配置される。
【００２０】
フィルタ４４（集塵フィルタ）は、冷却風Ｃ中のダストＤを捕集（集塵）する。フィルタ４４は、ファン４２よりも上流側Ｘ１に配置され、ラジエータ４３よりも上流側Ｘ１に配置される。フィルタ４４は、上下方向Ｚに延びる。フィルタ４４は、上下方向Ｚに対して傾いてもよい。
【００２１】
清掃機構４５は、フィルタ４４を清掃するための機構である。清掃機構４５は、フィルタ４４に捕集された（溜まった）ダストＤを、フィルタ４４から落下させるための機構である。例えば、清掃機構４５は、フレーム２０に対してフィルタ４４を揺動自在に支持する機構を備える。例えば、清掃機構４５は、フレーム２０に対してフィルタ４４が揺動するように駆動する機構を備える。清掃機構４５は、フレーム２０に対してフィルタ４４を手動で揺動可能とするものでもよい。
【００２２】
巻上抑制部５０は、フィルタ４４から落下したダストＤが巻き上がることを抑制する。巻上抑制部５０は、フィルタ４４よりも上流側Ｘ１かつ下側Ｚ２に配置される。さらに詳しくは、巻上抑制部５０の少なくとも一部は、フィルタ４４の上流側Ｘ１の端よりも上流側Ｘ１に配置される。巻上抑制部５０の少なくとも一部は、フィルタ４４の下側Ｚ２端部よりも下側Ｚ２に配置される。巻上抑制部５０は、貫通孔２１ａの内側に配置される。巻上抑制部５０は、貫通孔２１ａの外側に配置されてもよい（詳細は後述）。巻上抑制部５０は、機械室４０の内部と外部とを略仕切るように配置される。図３に示すように、巻上抑制部５０は、複数の部材６０を備える。
【００２３】
複数の部材６０は、互いに間隔をあけて配置される。この間隔の広さは、ダストＤが通ることが可能な広さである。複数の部材６０は、上下流方向Ｘに並ぶ（列をなす）。部材６０は、板状の板状部材６１により構成される。部材６０は、板状部材６１以外の部分を備えてもよい（第３実施形態などを参照）。部材６０が板状部材６１のみにより構成される場合は、部材６０が板状部材６１以外の部分を備える場合に比べ、巻上抑制部５０を軽量化できる。板状部材６１は、フィルタ対向面６１ａと、反フィルタ対向面６１ｂと、を備える。なお、図２では、複数の部材６０の一部にのみ符号を付した（図４も同様）。
【００２４】
フィルタ対向面６１ａは、図３に示すように、フィルタ４４を向いた面である。フィルタ対向面６１ａの法線は、フィルタ４４またはフィルタ４４の近傍を通る。フィルタ対向面６１ａは、上側Ｚ１ほど上流側Ｘ１に配置されるように、上下方向Ｚおよび上下流方向Ｘに対して傾斜する。反フィルタ対向面６１ｂは、板状部材６１の面であって、フィルタ対向面６１ａとは反対側の面である。なお、図３では、複数の部材６０のうち１つの部材６０にのみ、フィルタ対向面６１ａの符号を付した（反フィルタ対向面６１ｂも同様）。
【００２５】
（部材６０の配置）
部材６０は、次のように配置される。
【００２６】
［配置１］フィルタ４４から見たときに、複数の部材６０どうしが重なる。すなわち、複数の部材６０は、フィルタ４４から見たときに、部材６０間の隙間が見えないように配置される。複数の部材６０は、フィルタ４４から見たときに、部材６０間の隙間から、部材６０の向こう側が見えることがないように配置される。「フィルタ４４から見たとき」は、フィルタ４４の、ある位置（どの位置でもよい）から見たとき、を意味する。「複数の部材６０どうしが重なる」には、複数の部材６０の端部どうしが一致する場合も含まれる（以下同様）。
【００２７】
［配置２］図２に示すように、フィルタ４４のうち、ファン４２の回転軸と同じ高さの部分を、回転軸高さ部４４ａとする。さらに詳しくは、回転軸高さ部４４ａは、フィルタ４４の上流側Ｘ１の端部のうち、ファン４２の回転軸と同じ高さの部分である。図３に示すように、回転軸高さ部４４ａから見たときに、複数の部材６０どうしが重なる。すなわち、複数の部材６０は、回転軸高さ部４４ａから見たときに、部材６０間の隙間が見えないように配置される。
【００２８】
［配置３］フィルタ４４の上側Ｚ１端部を上端部４４ｂとする。さらに詳しくは、上端部４４ｂは、フィルタ４４の上流側Ｘ１の端部の、上側Ｚ１端部である。上端部４４ｂから見たときに、複数の部材６０どうしが重なる。すなわち、複数の部材６０は、上端部４４ｂから見たときに、部材６０間の隙間が見えないように配置される。
【００２９】
［配置４］部材６０の真上から見たときに、複数の部材６０どうしが重なる（重なる部分Ａが存在する）。すなわち、複数の部材６０は、部材６０の真上から見たときに、部材６０間の隙間が見えないように配置される。「部材６０の真上から見たとき」は、下部走行体５に対する上部旋回体７の回転軸の方向と一致する方向（上下方向Ｚ）における上側Ｚ１から下側Ｚ２に向かう向きに部材６０を見たとき、を意味する。
【００３０】
上記［配置１］〜［配置４］それぞれの条件は、巻上抑制部５０の一部で成り立ってもよく、巻上抑制部５０の全体で成り立つことが好ましい。
【００３１】
（作動）
図２に示すダスト捕集装置１０の作動、ダストＤの動きなどは次の通りである。ファン４２が、冷却風Ｃを発生させる。冷却風Ｃは、機械室４０の外部から、吸気口３３ａを介して、機械室４０の内部に流入し、フィルタ４４を通り、ラジエータ４３を通り、ファン４２を通る。冷却風Ｃの流れの方向は、フィルタ４４の近傍では、上下流方向Ｘ、または、ほぼ上下流方向Ｘである。例えば、吸気口３３ａがガード上側部分３１に設けられる場合などには、ガード上流側部分３３の近傍などでは、冷却風Ｃの流れの方向は、上下流方向Ｘに対して傾斜してもよく、上下方向Ｚでもよい。図２に示す例では、冷却風Ｃの流れの方向は、吸気口３３ａからフィルタ４４を介してファン４２まで、上下流方向Ｘである。
【００３２】
冷却風Ｃに含まれるダストＤは、フィルタ４４に捕集される。清掃機構４５が作動することで、フィルタ４４に捕集されたダストＤが、フィルタ４４から落下する。図３に示すように、フィルタ４４から落下したダストＤは、部材６０の間を通り、部材６０よりも下側Ｚ２に移動する。その結果、このダストＤは、図１に示す機械室４０の内部から外部へ（建設機械１の内部から外部へ）排出される。このダストＤは、地面に落下する場合があり、クローラ５ａの上面（上側Ｚ１の面）に落下する場合もある。
【００３３】
図３に示すように、冷却風Ｃは、フィルタ４４の近傍で、フィルタ４４に向かって流れる。その結果、部材６０の近傍において、部材６０よりも上側Ｚ１の空間の圧力が、負圧になる（部材６０よりも下側Ｚ２の空間の圧力（大気圧）よりも低圧になる）。この冷却風Ｃの流れおよび負圧により、部材６０よりも下側Ｚ２のダストＤが、上側Ｚ１および下流側Ｘ２に（フィルタ４４側に）吸い込まれようとする。ここで、上記「部材６０よりも下側Ｚ２のダストＤ」には、図１に示す機械室４０の内部から外部に落下したダストＤと、機械室４０の内部に入ることなく機械室４０の外部に存在するダストＤと、が含まれる。上記「機械室４０の内部に入ることなく機械室４０の外部に存在するダストＤ」には、例えば、地面から巻き上げられて空気中を漂うダストＤなどが含まれる。
【００３４】
図３に示すように、部材６０よりも下側Ｚ２のダストＤは、フィルタ４４側に吸い込まれようとしたとき、部材６０に当たる。このとき、部材６０が、ダストＤの移動を妨げる。よって、部材６０よりも下側Ｚ２からフィルタ４４側（上側Ｚ１および下流側Ｘ２）にダストＤが移動する（巻き上がる）ことを抑制できる。部材６０に当たったダストＤは、部材６０よりも下側Ｚ２に落下する。よって、このダストＤがフィルタ４４に捕集されない。よって、フィルタ４４から落下し、部材６０よりも下側Ｚ２に落下したダストＤが、フィルタ４４に再度付着することを抑制できる。また、機械室４０の内部に入ることなく機械室４０の外部に存在するダストＤが、貫通孔２１ａを通って機械室４０に入り、フィルタ４４に付着することを抑制できる。
【００３５】
部材６０よりも下側Ｚ２の地面などには、ダストＤ以外の物が存在する。ダストＤ以外の物には、例えば、石、岩、および針金などがある。部材６０は、貫通孔２１ａを塞ぐように、またはほぼ塞ぐように配置される。よって、部材６０は、貫通孔２１ａのカバー（アンダーカバー）として機能する。具体的には、貫通孔２１ａを通って機械室４０の内部に侵入しようとするダストＤ以外の物が、部材６０に当たる。よって、ダストＤ以外の物の、機械室４０の内部への侵入を抑制できる。部材６０どうしの間隔が狭いほど、この作用が大きく得られる。
【００３６】
（第１の発明の効果）
図２に示すダスト捕集装置１０による効果は次の通りである。ダスト捕集装置１０は、冷却風Ｃを発生させるファン４２と、ファン４２が発生させた冷却風Ｃ中のダストＤを捕集するフィルタ４４と、巻上抑制部５０と、を備える。巻上抑制部５０は、フィルタ４４よりも上流側Ｘ１かつ下側Ｚ２に配置される。
【００３７】
［構成１−１］図３に示すように、巻上抑制部５０は、互いに間隔をあけて配置される複数の部材６０を備える。それぞれの部材６０は、フィルタ４４を向いたフィルタ対向面６１ａを備える。
［構成１−２］フィルタ４４から見たときに、複数の部材６０どうしが重なる。
【００３８】
ダスト捕集装置１０は、主に上記［構成１−１］を備える。よって、ダストＤがフィルタ４４から落下した場合、このダストＤは、フィルタ対向面６１ａに当たって部材６０の間を通る、または、フィルタ対向面６１ａに当たることなく部材６０の間を通る。よって、ダストＤを、部材６０よりも下側Ｚ２に落下させることができる。よって、部材６０よりも上側Ｚ１から下側Ｚ２に、ダストＤを排出できる。
【００３９】
ダスト捕集装置１０は、主に上記［構成１−２］を備える。よって、部材６０よりも下側Ｚ２のダストＤがフィルタ４４に向かって移動しようとしたとき、このダストＤが、部材６０に当たりやすい。よって、フィルタ４４よりも上流側Ｘ１かつ下側Ｚ２にあるダストＤが、フィルタ４４に向かって巻き上がることを抑制できる。
【００４０】
その結果、次の効果が得られてもよい。フィルタ４４から落下し、部材６０よりも下側Ｚ２に落下したダストＤが、フィルタ４４に再度捕集されること（再付着、再吸引）を抑制できる。また、フィルタ４４から落下したダストＤ以外のダストＤであって、部材６０よりも下側Ｚ２にあるダストＤが、フィルタ４４に捕集されること（付着、吸引）を抑制できる。
【００４１】
（第２の発明の効果）
［構成２］フィルタ４４のうちファン４２（図２参照）の回転軸と同じ高さの部分（回転軸高さ部４４ａ）から見たときに、複数の部材６０どうしが重なる。
【００４２】
回転軸高さ部４４ａでは、フィルタ４４の他の部分に比べ、冷却風Ｃが強くなりやすい。また、フィルタ４４のうち、回転軸高さ部４４ａよりも下側Ｚ２の部分は、回転軸高さ部４４ａよりも上側Ｚ１の部分に比べ、部材６０に近い。よって、仮に巻上抑制部５０が設けられないとすれば、フィルタ４４の下側Ｚ２端部から回転軸高さ部４４ａまでの部分で、部材６０よりも下側Ｚ２のダストＤが捕集されやすい。そこで、ダスト捕集装置１０は、上記［構成２］を備える。よって、部材６０よりも下側Ｚ２のダストＤが、フィルタ４４に向かって移動しようとしたとき、部材６０に当たりやすい。特に、部材６０よりも下側Ｚ２のダストＤが、フィルタ４４の下側Ｚ２端部から回転軸高さ部４４ａまでの部分に向かって移動しようとしたとき、部材６０に当たりやすい。よって、フィルタ４４に向かってダストＤが巻き上がることをより抑制できる。
【００４３】
（第３の発明の効果）
［構成３］フィルタ４４の上端部４４ｂから見たときに、複数の部材６０どうしが重なる。
【００４４】
上記［構成３］により、上記［構成３］の条件を満たさない場合に比べ、部材６０よりも下側Ｚ２のダストＤが、部材６０により当たりやすい。よって、フィルタ４４に向かってダストＤが巻き上がることをより抑制できる。
【００４５】
（第４の発明の効果）
［構成４］部材６０の真上から見たときに、複数の部材６０どうしが重なる。
【００４６】
上記［構成４］により、上記［構成４］の条件を満たさない場合に比べ、部材６０よりも下側Ｚ２のダストＤが、部材６０により当たりやすい。よって、フィルタ４４に向かってダストＤが巻き上がることをより抑制できる。
【００４７】
その結果、次の効果が得られてもよい。上記［構成４］により、部材６０よりも下側Ｚ２のダストＤ以外の物が、真上に（上側Ｚ１と一致する向きに）移動すると、確実に部材６０に当たる。よって、部材６０よりも下側Ｚ２のダストＤ以外の物が、部材６０よりも上側Ｚ１に侵入することを抑制できる。
【００４８】
（第５の発明の効果）
［構成５］部材６０は、フィルタ対向面６１ａを有する板状部材６１を備える。
【００４９】
上記［構成５］により、フィルタ対向面６１ａを有する物が、板状でない物により構成される場合に比べ、部材６０を簡易に構成できる。
【００５０】
（第９の発明の効果）
［構成９］図２に示すように、ダスト捕集装置１０は、ファン４２およびフィルタ４４が搭載されるフレーム底板２１を備える。巻上抑制部５０は、フレーム底板２１に形成された貫通孔２１ａの内側に配置される。
【００５１】
ダスト捕集装置１０は、上記［構成９］を備える。よって、例えば、フレーム底板２１に貫通孔２１ａが設けられず、フレーム底板２１よりも上側Ｚ１に巻上抑制部５０が配置される場合などに比べ、ダスト捕集装置１０を軽量化できる。また、上記［構成９］により、ダストＤを、貫通孔２１ａを介して、フレーム底板２１よりも下側Ｚ２（建設機械１の外側）に排出できる。
【００５２】
（第２実施形態）
図４を参照して、第２実施形態のダスト捕集装置２１０について、第１実施形態との相違点を説明する。なお、ダスト捕集装置２１０のうち、第１実施形態との共通点については、第１実施形態と同一の符号を付し、説明を省略した（共通点の説明を省略する点については他の実施形態の説明も同様）。ダスト捕集装置２１０は、トレイ２７０を備える。
【００５３】
トレイ２７０は、フィルタ４４から落下し、部材６０の間を通り、部材６０よりも下側Ｚ２に落下したダストＤを捕集する。例えば、トレイ２７０は、盆状であり、蓋のない箱の形状である。トレイ２７０は、巻上抑制部５０の近傍に配置され、巻上抑制部５０の真下（巻上抑制部５０よりも下側Ｚ２、かつ、巻上抑制部５０と上下方向Ｚに対向する位置）に配置される。トレイ２７０は、巻上抑制部５０と同様に、フィルタ４４よりも上流側Ｘ１かつ下側Ｚ２に配置される。トレイ２７０は、貫通孔２１ａの内側に配置される。なお、図４に示す例では、部材６０は、貫通孔２１ａの外側に配置され、貫通孔２１ａよりも上側Ｚ１に配置される。
【００５４】
（作動）
トレイ２７０に捕集されたダストＤ（部材６０よりも下側Ｚ２のダストＤ）は、フィルタ４４側に吸い込まれようとしたとき、部材６０に当たる。よって、トレイ２７０から、部材６０よりも上側Ｚ１にダストＤが移動する（巻き上がる）ことを抑制できる。トレイ２７０が機械室４０の外部へ取り出され、トレイ２７０に捕集されたダストＤが捨てられた後、トレイ２７０が再び機械室４０の内部に配置される。
【００５５】
巻上抑制部５０が設けられずトレイ２７０が設けられる場合は、トレイ２７０に捕集されたダストＤが、フィルタ４４側に巻き上がり、フィルタ４４に捕集される（再度吸着される）おそれがある。そのため、例えば、清掃機構４５を用いてフィルタ４４からダストＤを落下させる毎に、トレイ２７０に捕集されたダストＤを捨てる必要が生じる場合がある。そのため、メンテナンス回数が多くなる。一方、本実施形態では、トレイ２７０が設けられ、さらに、巻上抑制部５０が設けられる。よって、フィルタ４４から落下したダストＤが、フィルタ４４に再度吸着されることを抑制できる。その結果、メンテナンス回数を減らせる。
【００５６】
（第３実施形態）
図５を参照して、第３実施形態のダスト捕集装置３１０について、第１実施形態との相違点を説明する。ダスト捕集装置３１０の部材６０は、補強部材３６３を備える。
【００５７】
補強部材３６３は、部材６０の断面係数を増やし、部材６０の強度を上げる。補強部材３６３は、板状部材６１を補強する。補強部材３６３は、板状部材６１に固定され、反フィルタ対向面６１ｂに固定される。補強部材３６３は、板状部材６１の下側Ｚ２端部よりも上側Ｚ１の部分に固定され、板状部材６１の上側Ｚ１端部よりも下側Ｚ２の部分に固定される。補強部材３６３は、板状部材６１と別体でもよく、板状部材６１と一体的に形成されてもよい（第５実施形態を参照）。補強部材３６３は、板状であり、リブである。補強部材３６３は、板状部材６１から下側Ｚ２および上流側Ｘ１に延び、反フィルタ対向面６１ｂから下側Ｚ２および上流側Ｘ１に延びる。補強部材３６３は、下側Ｚ２ほど上流側Ｘ１に配置されるように、上下方向Ｚおよび上下流方向Ｘに対して傾斜する。図５に示す例では、複数の部材６０は、部材６０の真上から見たときに、部材６０間の隙間が見えないように配置される（上記［配置４］参照）。
【００５８】
（第６の発明の効果）
本実施形態のダスト捕集装置３１０による効果は次の通りである。部材６０は、補強部材３６３を備える。
［構成６−１］補強部材３６３は、板状部材６１に固定される。
［構成６−２］補強部材３６３は、フィルタ対向面６１ａとは反対側の面（反フィルタ対向面６１ｂ）に固定される。
【００５９】
上記［構成６−１］により、補強部材３６３が設けられない場合に比べ、部材６０の断面係数が増えるので、部材６０の強度を上げることができる。その結果、例えば、巻上抑制部５０の一部の範囲などに、物（例えばバッテリなど）を載せやすい。その結果、物の配置の自由度を上げることができる。
【００６０】
上記［構成６−２］により、フィルタ４４から落下したダストＤがフィルタ対向面６１ａに当たったとき、ダストＤが補強部材３６３に当たりにくい。よって、補強部材３６３が、ダストＤの移動の邪魔になりにくい。よって、このダストＤが、複数の部材６０の間を通って、部材６０よりも下側Ｚ２に落下しやすい。
【００６１】
（第４実施形態）
図６を参照して、第４実施形態のダスト捕集装置４１０について、第１実施形態との相違点を説明する。本実施形態では、複数の部材６０は、上下方向Ｚに複数段を構成するように配置される。複数の部材６０は、下段４５１と、下段４５１よりも上側Ｚ１に配置される上段４５３と、を構成するように配置される。
【００６２】
下段４５１および上段４５３それぞれは、上下流方向Ｘに並ぶ複数の部材６０により構成される。上段４５３の部材６０（の全部または一部）は、下段４５１の部材６０に対し、上下流方向Ｘにずれた位置に配置される。複数の部材６０は、上下互い違いに配置される。上段４５３の部材６０と下段４５１の部材６０とが、上下流方向Ｘに交互に配置される。さらに詳しくは、上流側Ｘ１から下流側Ｘ２の順に、例えば、上段４５３の１つの部材６０、下段４５１の１つの部材６０、上段４５３の１つの部材６０、下段４５１の１つの部材６０、というように複数の部材６０が配置される。
【００６３】
図６に示す例では、部材６０の真上から見たときに、上段４５３の部材６０と下段４５１の部材６０どうしが重なる（重なる部分Ａが存在する）。すなわち、複数の部材６０は、部材６０の真上から見たときに、上段４５３の部材６０と下段４５１の部材６０との隙間が見えないように配置される（上記［配置４］参照）。部材６０の真上から見たときに、上段４５３の部材６０の端部と下段４５１の部材６０の端部とが一致してもよい（上記［配置４］参照）。なお、上段４５３の部材６０および下段４５１の部材６０は、上記［配置４］を満たさなくてもよく、上記［配置１］〜［配置３］の少なくともいずれかの条件を満たしてもよい。
【００６４】
（第７の発明の効果）
本実施形態のダスト捕集装置４１０による効果は次の通りである。
［構成７］複数の部材６０は、上下方向Ｚに複数段（下段４５１および上段４５３）を構成するように配置される。
【００６５】
上記［構成７］により、複数の部材６０が上下方向Ｚに段を構成していない場合に比べ、ダストＤが巻き上がりにくい。さらに詳しくは、下段４５１の部材６０よりも下側Ｚ２から上側Ｚ１に、下段４５１の部材６０どうしの間をダストＤが通ったとしても、このダストＤは、上段４５３の部材６０に当たる場合がある。よって、フィルタ４４に向かってダストＤが巻き上がることをより抑制できる。
【００６６】
（第８の発明の効果）
［構成８］上段４５３の部材６０は、下段４５１の部材６０に対し、上下流方向Ｘにずれた位置に配置される。
【００６７】
ダスト捕集装置４１０は、上記［構成８］を備える。よって、ダストＤが、下段４５１の部材６０どうしの間を通り、上下流方向Ｘに直交する方向（上側Ｚ１）に移動したとしても、このダストＤは、上段４５３の部材６０に当たりやすい。よって、フィルタ４４に向かってダストＤが巻き上がることをより抑制できる。
【００６８】
（第５実施形態）
図７に基づいて、第５実施形態のダスト捕集装置５１０について、主に第４実施形態との相違点を説明する。ダスト捕集装置５１０の部材６０は、補強部材５６３を備える。
【００６９】
補強部材５６３は、次のように構成される。図５に示すように、第３実施形態の補強部材３６３は、板状部材６１の反フィルタ対向面６１ｂの上側Ｚ１端部よりも下側Ｚ２の部分に固定された。一方、図７に示すように、本実施形態の補強部材５６３は、反フィルタ対向面６１ｂの上側Ｚ１端部に固定される。補強部材５６３は、反フィルタ対向面６１ｂと一体的に（連続的に）設けられる。部材６０の断面形状は、Ｌ字状である。
【００７０】
（変形例）
上記実施形態は様々に変形されてもよい。互いに異なる実施形態の構成要素どうしが組み合わされてもよい。各実施形態の構成要素の数が変更されてもよく、構成要素の一部が設けられなくてもよい。
【００７１】
例えば、機械室４０の内部の機器の配置は変更されてもよい。例えば、図４に示す貫通孔２１ａの有無、およびトレイ２７０の有無は変更されてもよい。フレーム底板２１、貫通孔２１ａ、トレイ２７０、および巻上抑制部５０の配置は、変更されてもよい。例えば、巻上抑制部５０の全部または一部は、貫通孔２１ａの内側に配置されてもよく、貫通孔２１ａの外側（上側Ｚ１および下側Ｚ２の少なくともいずれか）に配置されてもよい。トレイ２７０の全部または一部は、貫通孔２１ａの内側に配置されてもよく、貫通孔２１ａの外側に配置されてもよい。貫通孔２１ａが設けられない場合、トレイ２７０は、フレーム底板２１に載せられてもよい。貫通孔２１ａが設けられない場合、トレイ２７０とフレーム底板２１との間に、間隔が設けられてもよく、物が配置されてもよい。
【００７２】
図６などに示す部材６０の段の数、１段あたりの部材６０の数、部材６０の形状、複数の部材６０どうしの間隔などは変更されてもよい。部材６０の段の数は、上記実施形態では１段（図２参照）または２段（図６参照）であるが、３段以上でもよい。段が複数設けられる場合、段ごとに部材６０の形状および配置（間隔など）が相違してもよく、相違しなくてもよい。１段の中での、複数の部材６０の形状および配置（間隔など）が、相違してもよく、相違しなくてもよい。例えば、１段の中に、板状部材６１のみを有する部材６０（図２参照）、補強部材３６３を備える部材６０（図５参照）、および、補強部材５６３を備える部材６０（図７参照）、の３種類の部材６０のうち、２種類以上の部材６０があってもよい。
【符号の説明】
【００７３】
１  建設機械
１０、２１０、３１０、４１０、５１０  ダスト捕集装置
２１  フレーム底板
２１ａ  貫通孔
４２  ファン
４４  フィルタ
５０  巻上抑制部
６０  部材
６１  板状部材
６１ａ  フィルタ対向面
３６３、５６３  補強部材
Ｃ  冷却風
Ｄ  ダスト
Ｘ１  冷却風上流側
【図１】
2018193835.tif 000003
【図２】
2018193835.tif 000004
【図３】
2018193835.tif 000005
【図４】
2018193835.tif 000006
【図５】
2018193835.tif 000007
【図６】
2018193835.tif 000008
【図７】
2018193835.tif 000009